(57)【要約】      （修正有）【課題】ソーラーパネルに純水製造装置からの排水を散水し動作環境温度を低下することで発電効率を高め、発電量を増加し需要家の買電コストを低減する。【解決手段】冷却システム１０は純水製造装置１１と第１の散水系とを備える。純水製造装置は排水を伴いながら純水を製造する。純水は空調機用熱交換器の室外機２５に散水して冷却し、排水をソーラーパネル２４に散水する。【選択図】図１
2016105675.tif 000002
【特許請求の範囲】
【請求項１】
排水を伴いながら、純水を製造する純水製造装置と、
前記排水をソーラーパネルに散水する第１の散水系とを備える
ことを特徴とする冷却システム。
【請求項２】
請求項１に記載の冷却システムであって、
前記ソーラーパネルの表面温度を検出する温度センサと、
前記温度センサが検出した表面温度に基づいて、前記第１の散水系による前記排水の散水を制御する第１の制御部とを、さらに備える
ことを特徴とする冷却システム。
【請求項３】
請求項１又は請求項２に記載の冷却システムであって、
前記純水をソーラーパネルに散水する第２の散水系を、さらに備える
ことを特徴とする冷却システム。
【請求項４】
請求項３に記載の冷却システムであって、
前記第１の散水系による前記排水の散水の停止後に、前記第２の散水系による前記純水の散水を実行させる第２の制御部を、さらに備える
ことを特徴とする冷却システム。
【請求項５】
請求項１から請求項４のいずれか1項に記載の冷却システムであって、
前記純水を空調装置の室外機に散水する第３の散水系を、さらに備える
ことを特徴とする冷却システム
【発明の詳細な説明】
【技術分野】
【０００１】
本発明は、屋外に設置される機器を冷却する冷却システムに関するものである。
【背景技術】
【０００２】
室外機の熱交換器に純水を散水することが提案されている（特許文献１参照）。
【先行技術文献】
【特許文献】
【０００３】
【特許文献１】特開２０１１−０８９６５９号公報
【発明の概要】
【発明が解決しようとする課題】
【０００４】
熱交換器に純水を散水することにより、特に夏季における、空調装置の消費電力を低減し得、需要家の買電コストを低減可能である。しかし、需要家における買電コストのさらなる低減化が求められている。
【０００５】
したがって、かかる事情に鑑みてなされた本発明の目的は、需要家の買電コストを低減可能な冷却システムを提供することにある。
【課題を解決するための手段】
【０００６】
上述した諸課題を解決すべく、第１の観点による冷却システムは、
排水を伴いながら、純水を製造する純水製造装置と、
前記排水をソーラーパネルに散水する第１の散水装置とを備える
ことを特徴とするものである。
【０００７】
また、第２の観点による冷却システムにおいては、
前記ソーラーパネルの表面温度を検出する温度センサと、
前記温度センサが検出した表面温度に基づいて、前記第１の散水装置による前記排水の散水を実行させる第１の制御部とを、さらに備える
ことが好ましい。
【０００８】
また、第３の観点による冷却システムにおいては、
前記純水をソーラーパネルに散水する第２の散水装置を、さらに備える
ことが好ましい。
【０００９】
また、第４の観点による冷却システムにおいては、
前記第１の散水部による前記排水の散水の停止後に、前記第２の散水装置による前記純水の散水を実行させる第２の制御部を、さらに備える
ことが好ましい。
【００１０】
また、第５の観点による冷却システムにおいては、
前記純水を空調装置の室外機に散水する第３の散水装置を、さらに備える
ことが好ましい。
【発明の効果】
【００１１】
上記のように構成された本発明に係る冷却システムによれば、需要家の買電コストを低減可能である。
【図面の簡単な説明】
【００１２】
【図１】本発明の一実施形態に係る冷却システムの概略構成を示す構成図である。
【図２】図１の制御部が実行する散水制御処理を示すフローチャートである。
【発明を実施するための形態】
【００１３】
以下、本発明を適用した冷却システムの実施形態について、図面を参照して説明する。
【００１４】
図１は、本発明の一実施形態に係る冷却システムの概略的な構成を示す構成図である。図１に示すように、冷却システム１０は、純水製造装置１１、排水タンク１２、純水タンク１３、排水散水ポンプ１４、純水散水ポンプ１５、第１の制御弁１６、第２の制御弁１７、第３の制御弁１８、第１のノズル１９、第２のノズル２０、第３のノズル２１、温度センサ２２、及び制御部２３（第１の制御部、第２の制御部、第３の制御部）を含んで構成される。
【００１５】
純水製造装置１１は、例えばＲＯ純水製造装置であって、水道水などの原水から、排水を伴いながら、純水を製造する。
【００１６】
排水タンク１２は、純水製造装置１１が排出する排水を貯水する。純水タンク１３は、純水製造装置１１が製造する純水を貯水する。排水タンク１２及び純水タンク１３は、それぞれの水位を検出する水位計を有していてもよい。排水散水ポンプ１４は、排水タンク１２に接続され、排水を加圧する。純水散水ポンプ１５は、純水タンク１３に接続され、純水を加圧する。
【００１７】
第１の制御弁１６は、排水散水ポンプ１４及び第１のノズル１９の間に配置され、排水散水ポンプ１４により加圧された排水の第１のノズル１９への送水及び送水停止を切替える。第２の制御弁１７は、純水散水ポンプ１５及び第２のノズル２０の間に配置され、純水散水ポンプ１５により加圧された純水の第２のノズル２０への送水及び送水停止を切替える。第３の制御弁１８は、純水散水ポンプ１５及び第３のノズル２１の間に配置され、純水散水ポンプ１５により加圧された純水の第３のノズル２１への送水及び送水停止を切替える。第１の制御弁１６、第２の制御弁１７、及び第３の制御弁１８は、流量又は水圧を調整する機能を有していてもよい。
【００１８】
第１のノズル１９は、ソーラーパネル２４の鉛直上方に設置され、排水をソーラーパネル２４の上部に噴射する。第２のノズル２０は、ソーラーパネル２４の鉛直上方に設置され、純水をソーラーパネル２４の上部に噴射する。第３のノズル２１は、空調装置の室外機２５内の熱交換器に対向するように設置され、純水を熱交換器に噴射する。
【００１９】
排水タンク１２、排水散水ポンプ１４、第１の制御弁１６、及び第１のノズル１９は、第１の散水系を構成し、ソーラーパネル２４に排水を散水する。純水タンク１３、純水散水ポンプ１５、第２の制御弁１７、及び第２のノズル２０は、第２の散水系を構成し、ソーラーパネル２４に純水を散水する。純水タンク１３、純水散水ポンプ１５、第３の制御弁１８、及び第３のノズル２１は、第３の散水系を構成し、空調装置の室外機２５に純水を散水する。
【００２０】
温度センサ２２は、ソーラーパネル２４の上面に設置され、ソーラーパネル２４の表面温度を検出する。ここで、ソーラーパネル２４の表面温度とは、ソーラーパネル２４そのものの表面温度も、ソーラーパネル２４に近接する枠体などのソーラーパネル２４の表面と連動して温度変化する部位の温度も含む。
【００２１】
制御部２３は、ＣＰＵ（中央処理装置）等の任意の好適なプロセッサ上で実行されるソフトウェアとして構成したり、処理ごとに特化した専用のプロセッサによって構成され、冷却システム１０を構成する構成要素を制御する。例えば、制御部２３は、第１の散水系、第２の散水系、及び第３の散水系の少なくともいずれかを用いた散水を制御する。
【００２２】
例えば、制御部２３は、温度センサ２２が検出するソーラーパネル２４の表面温度が上限閾値以上のとき、第１の制御弁１６を開放して、第１の散水系による排水の散水を実行させる。また、制御部２３は、温度センサ２２が検出するソーラーパネル２４の表面温度が下限閾値を下回るとき、第１の制御弁１６を閉鎖して、第１の散水系による排水の散水を停止させる。なお、制御部２３は、排水タンク１２の水位が所定の下限値を下回るときにも、第１の散水系による排水の散水を停止させてもよい。
【００２３】
また、制御部２３は、第１の散水系による排水の散水の停止後に、少なくとも第２の制御弁１７を開放して、第２の散水系による純水の散水を実行させる。なお、制御部２３は、第２の散水系による純水の散水開始時から一定期間の経過後に、第２の散水系による純水の散水を停止させてもよい。また、制御部２３は、純水タンク１３の水位が所定の下限値に達したときにも、第２の散水系による純水の散水を停止させてもよい。
【００２４】
また、制御部２３は、多様な条件で、第３の散水系による純水の散水の制御を行なってもよい。例えば、制御部２３は、室外機２５内部の温度に応じて散水及び散水停止を行っても、散水を間欠的に行っても、雨天時に散水の停止を行ってもよい。
【００２５】
次に、本実施形態において制御部２３が実行する、散水制御処理について、図２のフローチャートを用いて説明する。散水制御処理は、第１の散水系による排水の散水の停止中に、周期的に実行される。
【００２６】
ステップＳ１００において、制御部２３は、温度センサ２２からソーラーパネル２４の表面温度を取得し、排水タンク１２の水位計から排水の水位を取得する。表面温度及び水位を取得すると、プロセスはステップＳ１０１に進む。
【００２７】
ステップＳ１０１では、制御部２３は、ステップＳ１００において取得した表面温度が上限閾値以上、且つステップＳ１００において取得した排水の水位が閾値以上であるか否かを判別する。表面温度が上限閾値未満又は排水の水位が閾値未満であるときに、プロセスはステップＳ１００に戻る。表面温度が上限閾値以上、且つ排水の水位が閾値以上のときに、プロセスはステップＳ１０２に進む。
【００２８】
ステップＳ１０２では、制御部２３は、第１の散水系による排水の散水を実行させる。散水を開始すると、プロセスはステップＳ１０３に進む。
【００２９】
ステップＳ１０３では、制御部２３は、ステップＳ１０１と同様に、温度センサ２２からソーラーパネル２４の表面温度を取得し、排水タンク１２の水位計から排水の水位を取得する。表面温度及び水位を取得すると、プロセスはステップＳ１０４に進む。
【００３０】
ステップＳ１０４では、制御部２３は、ステップＳ１０３において取得した表面温度が下限閾値未満、又はステップＳ１０３において取得した排水の水位が閾値未満であるか否かを判別する。表面温度が下限閾値以上且つ排水の水位が閾値以上のときに、プロセスはステップＳ１０３に戻る。表面温度が下限閾値未満、又は排水の水位が閾値未満であるときに、プロセスはステップＳ１０５に進む。
【００３１】
ステップＳ１０５では、制御部２３は、第１の散水系による排水の散水を停止する。散水を停止すると、プロセスはステップＳ１０６に進む。
【００３２】
ステップＳ１０６では、制御部２３は、純水タンク１３の水位計から純水の水位を取得する。水位を取得すると、プロセスはステップＳ１０７に進む。
【００３３】
ステップＳ１０７では、制御部２３は、ステップＳ１０６において取得した純水の水位が閾値以上であるか否かを判別する。純水の水位が閾値未満であるときには、プロセスはステップＳ１０６に戻る。純水の水位が閾値以上のときには、プロセスはステップＳ１０８に進む。
【００３４】
ステップＳ１０８では、制御部２３は、第２の散水系による純水の散水を実行させる。散水を開始すると、プロセスはステップＳ１０９に進む。
【００３５】
ステップＳ１０９では、制御部２３は、純水タンク１３の水位計から純水の水位を取得する。水位を取得すると、プロセスはステップＳ１１０に進む。
【００３６】
ステップＳ１１０では、制御部２３は、ステップＳ１０８における純水の散水の開始後に一定時間経過しているかを判別する。一定時間の経過後であるときは、プロセスはステップＳ１１１に進む。一定時間の経過前のときは、プロセスはステップＳ１１２に進む。
【００３７】
ステップＳ１１１では、制御部２３は、第２の散水系による純水の散水を停止させる。散水を停止すると、散水制御処理を終了する。
【００３８】
ステップＳ１１２では、制御部２３は、ステップＳ１０９において取得した純水の水位が閾値以上であるか否かを判別する。純水の水位が閾値以上のときは、プロセスはステップＳ１０９に戻る。純水の水位が閾値未満のときは、プロセスはステップＳ１１３に進む。
【００３９】
ステップＳ１１３では、制御部２３は、第２の散水系による純水の散水を停止させる。散水を停止すると、プロセスはステップＳ１０６に戻る。
【００４０】
以上のような構成の本実施形態の冷却システムによれば、従来は廃棄していた排水をソーラーパネル２４の冷却に用いるので、温度上昇によるソーラーパネル２４の発電電力の低下を抑制可能である。発電電力の低下の抑制により、需要家の買電コストが低減され得る。
【００４１】
また、本実施形態の冷却システムによれば、ソーラーパネル２４の表面温度に基づいて排水の散水を制御するので、不必要な散水が抑制され得る。不必要な散水の抑制により、排水散水ポンプ１４の駆動にかかる電力が低減され得る。
【００４２】
また、本実施形態の冷却システムによれば、第２の散水系によりソーラーパネル２４に純水を散水可能なので、排水の散水によりソーラーパネル２４の表面に析出し得る不純物が除去される。不純物の除去により、ソーラーパネル２４の発電効率の低下が抑制され得る。
【００４３】
また、本実施形態の冷却システムによれば、排水の散水後に自動的に純水が散水されるので、冷却システム１０の管理者による純水散水ポンプ１５の駆動及び第２の制御弁１７の開放などの煩雑な作業が省略され得る。
【００４４】
本発明を諸図面や実施例に基づき説明してきたが、当業者であれば本開示に基づき種々
の変形や修正を行うことが容易であることに注意されたい。従って、これらの変形や修正
は本発明の範囲に含まれることに留意されたい。
【００４５】
例えば、第３の散水系による室外機２５内への純水の散水の実行時に、第１の散水系による排水の散水が実行されるように制御されてもよい。室外機２５への散水時に、純水製造装置１１に純水を製造させると、排水タンク１２の水位が上昇し、排水を廃棄することがある。しかし、上述のように、第３の散水系による純水の散水の実行時に合わせて、第１の散水系による排水の散水も実行することにより、排水の有効活用が可能となる。
【符号の説明】
【００４６】
１０  冷却システム
１１  純水製造装置
１２  排水タンク
１３  純水タンク
１４  排水散水ポンプ
１５  純水散水ポンプ
１６  第１の制御弁
１７  第２の制御弁
１８  第３の制御弁
１９  第１のノズル
２０  第２のノズル
２１  第３のノズル
２２  温度センサ
２３  制御部
２４  ソーラーパネル
２５  室外機
【図１】
2016105675.tif 000003
【図２】
2016105675.tif 000004